【事件の表示】
　平成　９年特許願第３０９８９４号「画像の重畳表示方法」拒絶査定に対する審判事件［平成１１年　５月２１日出願公開、特開平１１−１３６５７７］について、次のとおり審決する。
【結　論】
　本件審判の請求は、成り立たない。
【理　由】
第１　【手続きの経緯】
　本願は、平成９年１０月２４日の出願であって、平成１３年７月３１日付で拒絶査定がなされ、これに対し、同年８月３１日に拒絶査定に対する審判請求がなされるとともに、同年１０月１日付で手続補正がなされたものである。
　　　　　
第２　【平成１３年１０月１日付の手続補正についての補正却下の決定】
《補正却下の決定の結論》
　平成１３年１０月１日付の手続補正を却下する。
《理由》
　１　［補正後の本願発明］
　本件補正により、特許請求の範囲の請求項１は、
「【請求項１】　上層側の静止画像中に、予め設定した色で区画された透過領域を設け、該設定色部分の表示を下層側の表示に変更することによって、前記透過領域を通して下層側の画像を表示可能とするとともに、前記透過領域内に、前記設定色とは異なった色で且つ下層側の画像に対応した形状のグラフ目盛りが描画され、下層側の画像に重畳して前記グラフ目盛りが表示される画像の重畳表示方法であって、
　前記透過領域の設定状態を異ならせた前記静止画像が複数種類あり、表示される画像を変更可能としたことを特徴とする画像の重畳表示方法。」と補正された。
　上記補正は、請求項１に記載した発明を特定するために必要な事項である「画像の重畳表示方法」について「前記透過領域の設定状態を異ならせた前記静止画像が複数種類あり、表示される画像を変更可能とした」との限定を付加するものであって、特許法第１７条の２第４項第２号の特許請求の範囲の減縮を目的とするものに該当する。
　そこで、本件補正後の前記請求項１に記載された発明（以下「本願補正発明」という。）が特許出願の際独立して特許を受けることができるものであるか（特許法第１７条の２第５項において準用する同法第１２６条第４項の規定に適合するか）について以下に検討する。
　２　［引用例］　
　これに対して、原査定の拒絶の理由に引用された特開平７−３０７８９６号公報（以下「引用例」という。）には、「画像データ合成装置」（発明の名称）に関し、図面と共に次の（１）ないし（５）のとおりの記載がある。
　（１）「【産業上の利用分野】本発明は、画像データ合成装置に関し、特に、ＴＶ走査に同期して画面に対応するフレームメモリからの読み出しデータと他のデータとを合わせて重畳表示する画像データ合成装置に関する。」（公報２頁左欄３４行ないし３７行）
　（２）「【作用】したがって、本発明の画像データ合成装置によれば、第１の画像データおよび第２の画像データを記憶し、所定の色を識別するための識別データを指定し、この識別データに基づき第１のフレーム記憶手段から読み出した画像データの所定の色の識別データを検出し検出信号を出力し、この検出信号に基づき２つの画像データのいずれか１つの画像データを選択し画像データの合成を行っている。よって、第１の画像の特定の色に対応する部分において、２つの画像データを高速且つ容易に合成することができる。」（公報３頁右欄３６行ないし４５行）
　（３）「【００２４】（第１の実施例）図１は第１の実施例の回路構成ブロック図である。本実施例の描画プロセッサ１は、フレームメモリ２へグラフィック描画を行う素子であり、フレームメモリ２は、カラーコード１０７を記憶する素子である。外部ビデオＩ／Ｆ３は、外部ビデオデータ１０１を受信するＩ／Ｏ部である。表示デバイス４は、表示ビデオデータ１０６を可視表示する装置であり、例えば、ＣＲＴ陰極管により構成される表示装置である。副画面用フレームメモリ５は、副画面となる画像データを記憶するための記憶部であり、外部ビデオＩ／Ｆ３が受信した外部ビデオデータ１０１または描画プロセッサ１により作画された画像データを記憶する部である。
【００２５】カラーパレット６は、カラーパレット設定値１０８に基づきカラーコード１０７の色変換を行い、色変換した値をデジタルビデオデータ１０３として出力する回路部である。色指定レジスタ９は、透明色データ１０２を一時記憶する記憶部である。色比較器１０は、透明色データ１０２とデジタルビデオデータ１０３を比較し、この比較結果１０４をビデオセレクタ１１へ出力する回路部である。
【００２６】ビデオセレクタ１１は、比較結果１０４の信号を受けて、デジタルビデオデータ１０３と副画面ビデオデータ１０５とを切り替えて、表示ビデオデータ１０６として表示デバイス４へ出力するデータの選択切替器である。尚、副画面ビデオデータ１０５は、副画面用フレームメモリ５から読み出される画像データであり、外部ビデオデータ１０１または描画プロセッサ１により作画された副画面デジタルビデオデータの何れかのデータにより構成される。ＣＰＵ１２は、画像データ合成装置全体の動作を制御する演算処理部である。
【００２７】上記の各部の動作において、ＣＰＵ１２はプロセッサ１に描画コマンド信号１１０を出力し、また色指定レジスタ９に透明色データ１０２を設定する。この設定に基づき描画プロセッサ１は、画面に対応するフレームメモリ２に描画を行う。副画面表示を行う際には副画面用フレームメモリ５にも描画を行う。
【００２８】ＴＶ同期でフレームメモリ２から読み出したカラーコード１０７をカラーパレット６が受けて、ＣＰＵ１２が予め設定したカラーパレット設定値１０８によりカラーパレット６が色変換を行う。カラーパレット６は、色変換した値をデジタルビデオデータ１０３として出力する。
【００２９】一方、外部ビデオデータ１０１を受けた外部ビデオＩ／Ｆ３は、ＣＰＵ１２の制御により副画面用フレームメモリ５へ書き込みがされる。書き込まれた副画面用フレームメモリ５からは、副画面ビデオデータ１０５として描画内容がＴＶ同期にて読み出される。」（公報４頁左欄３行ないし５０行）
　（４）「【００３０】デジタルビデオデータ１０３を受けた色比較器１０は、透明色データ１０２とデジタルビデオデータ１０３の比較を行い、比較結果１０４をビデオセレクタ１１へ出力する。ビデオセレクタ１１は比較結果１０４を受けて、デジタルビデオデータ１０３と副画面ビデオデータ１０５とを切り替えて、表示ビデオデータ１０６として表示デバイス４へ出力し表示させる。
【００３１】つまり、フレームメモリ２に記憶されている画像データと副画面用フレームメモリ５に記憶されている副画面ビデオデータ１０５との、何れか一方をビデオセレクタ１１が選択して表示ビデオデータ１０６として出力する。この選択は、フレームメモリ２の任意の部位の画像データを透明色１０２に色変換し、この変換された透明色の部位に副画面ビデオデータ１０５が挿入され表示される。
【００３２】描画の手順を以下に説明する。ＣＰＵ１２は、描画コマンド信号１１０を描画プロセッサ１に出力する。この入力を受けて描画プロセッサ１はフレームメモリ２に描画を行う。また、副画面表示を行う際には副画面用フレームメモリ５にも描画を行う。更に、ＣＰＵ１２はカラーパレット６へカラーパレット設定値１０８の設定を行う。カラーパレット設定値１０８は、カラーコード１０７の値一つ一つに対応してデジタルビデオデータ１０３の色を割り当てたものである。
【００３３】描画プロセッサ１の制御によりフレームメモリ２に書き込まれているデータを、カラーコード１０７としてＴＶ同期で読み出し、カラーパレット６へ出力する。カラーパレット６は、カラーコード１０７を受けて既に設定されているカラーパレット設定値１０８により、カラーコード１０７一つ一つにデジタルビデオデータ１０３の色の割り当てを行う。カラーパレット６は、デジタルビデオデータ１０３を色比較器１０とビデオセレクタ１１に出力する。
【００３４】一方、外部ビデオＩ／Ｆ３へ外部ビデオデータ１０１を入力する。この入力を受けて外部ビデオＩ／Ｆ３はＣＰＵ１２のタイミング制御により、副画面用フレームメモリ５に描画する。副画面用フレームメモリ５からは、描画内容をＴＶ同期にて副画面ビデオデータ１０５として読み出される。
【００３５】ＣＰＵ１２は、透明色データ１０２を色指定レジスタ９に設定し、色指定レジスタ９は一時格納された透明色データ１０２を色比較器１０に出力する。色比較器１０は、透明色データ１０２とデジタルビデオデータ１０３が同値であるか否かを比較する。比較結果１０４は、比較器１０からビデオセレクタ１１に出力される。
【００３６】ビデオセレクタ１１は、比較結果１０４が異なっている場合は、デジタルビデオデータ１０３を表示ビデオデータ１０６として出力し、また、比較結果１０４が同値である場合は、副画面ビデオデータ１０５を表示ビデオデータ１０６として出力する。表示デバイス４は、表示ビデオデータ１０６を受け画面表示を行う。」（公報４頁右欄９行ないし４頁左欄１０行）
　（５）「【００４１】図３は、本実施例の表示デバイス４上の画面表示例を示している。図３（Ａ）は全体表示図である。
【００４２】ここで、Ｘ4をあるカラーコード１０７の値、Ｘ5をある透明色データ１０２の値とする（ただし、Ｘ4、Ｘ5は任意の値とする）。
【００４３】ウィンドウ２０１は、描画プロセッサ１がＸ4の値で、フレームメモリ２に塗りつぶしグラフィック描画をしたウィンドウである。ＣＰＵ１２は透明色データ１０２としてＸ5の値を色指定レジスタ９に一時格納している。また、カラーパレット６は、予めＣＰＵ１２により設定されたカラーパレット設定値１０８によりＸ4をＸ5に変換することとする。
【００４４】ウィンドウ２０２は、描画プロセッサ１がＸ4の値以外でフレームメモリ２にグラフィック描画をしたウィンドウである。
【００４５】この場合、表示画面２０３の中で、ウィンドウ２０２の領域ではデジタルビデオデータ１０３を、表示デバイス４はそのまま表示する。一方、ウィンドウ２０１の領域では前述の色変換によりカラーパレット６がＸ5をデジタルビデオデータ１０３として出力する。従って、透明色データ１０２とデジタルビデオデータ１０３はどちらもＸ5であるため、比較結果１０４は同値を示す。その結果、ビデオセレクタ１１は副画面ビデオデータ１０５を出力する。その出力を受けて表示デバイス４はこの領域内では副画面ビデオデータ１０５を表示する。
【００４６】前述の表示は、ウィンドウ２０１の領域に透明なウィンドウを開き、あたかもデジタルビデオデータ１０３の表示を透過してその下に描画されていた副画面ビデオデータ１０５が見えるように表示する。
【００４７】図３（Ｂ）は、ウィンドウ２０１の拡大図である。破線で示されている２０４は副画面ビデオデータ１０５による表示である。実線で示されている２０５はデジタルビデオデータ１０３による表示である。
【００４８】実線で示されている２０５の表示は、フレームメモリ２において前述のウィンドウ２０１の領域内でＸ4以外でグラフィック描画した結果である。このように、表示デバイス４は副画面ビデオデータ１０５による表示にデジタルビデオデータ１０３を重畳表示することが出来る。」（公報５頁左欄４１行ないし同頁右欄３１行）
　３　［対比］
　（１）引用例には、描画プロセッサ１は、フレームメモリ２へグラフィック描画を行うことが記載されており（引用例の上記（３）の記載参照）、このグラフィック描画によって、静止画像が描画されることも普通のことであり、また、引用例には、フレームメモリ２に記憶されている画像データと副画面用フレームメモリ５に記憶されている副画面ビデオデータ１０５との、何れか一方をビデオセレクタ１１が選択して表示ビデオデータ１０６として出力されることが、そしてこの選択は、フレームメモリ２に記憶されている特定のカラーコードの値をもつ部位の画像データを透明色１０２に色変換し、この変換された透明色の部位に副画面ビデオデータ１０５が挿入され表示されることが記載されており（引用例の上記（４）、（５）の記載参照）、これらの記載によれば、引用例に記載の発明も、本願補正発明でいう「上層側の静止画像中に、予め設定した色で区画された透過領域を設け、該設定色部分の表示を下層側の表示に変更することによって、前記透過領域を通して下層側の画像を表示可能とする」点の構成を有するものといえる。
　（２）引用例には、図３（Ｂ）は、ウィンドウ２０１の拡大図であり、破線で示されている２０４は副画面ビデオデータ１０５による表示であり、実線で示されている２０５はデジタルビデオデータ１０３による表示であり、その実線で示されている２０５の表示は、フレームメモリ２においてウィンドウ２０１の領域内でカラーコードの値Ｘ４以外でグラフィック描画した結果であることが記載されており（引用例の上記（５）の記載参照）、その実線で示されている２０５（三角形状の図形）が重畳表示部といえ、引用例に記載の発明も、その重畳表示部が、「下層側の画像に対応した形状のグラフ目盛り」である点は別として、「前記透過領域内に、前記設定色とは異なった色で重畳表示部が描画され、下層側の画像に重畳して前記重畳表示部が表示される」点の構成を有している点では、本願補正発明と変わりがない。
　（３）引用例に記載の発明が、「画像の重畳表示方法」といえる点でも、本願補正発明と変わりがない。
　４　［一致点・相違点］
　以上の点（１）ないし（３）を踏まえると、本願補正発明と引用例に記載された発明とは、
「上層側の静止画像中に、予め設定した色で区画された透過領域を設け、該設定色部分の表示を下層側の表示に変更することによって、前記透過領域を通して下層側の画像を表示可能とするとともに、前記透過領域内に、前記設定色とは異なった色で重畳表示部が描画され、下層側の画像に重畳して前記重畳表示部が表示される画像の重畳表示方法。」である点で一致し、次の点で相違する。　　　　
　相違点１
　重畳表示部が、本願補正発明では、「下層側の画像に対応した形状のグラフ目盛り」であり、下層側の画像に重畳して「前記グラフ目盛り」が表示されるのに対して、引用例に記載された発明では、三角形状の図形であり、下層側の画像に重畳して三角形状の図形が表示される点。
　相違点２
　本願補正発明では、「前記透過領域の設定状態を異ならせた前記静止画像が複数種類あり、表示される画像を変更可能とした」ものであるのに対して、引用例に記載された発明には、そのことが記載されていない点。
　５　［相違点の検討］
　そこで、上記各相違点について検討する。
　相違点１について
　画像の重畳表示方法において、下層側の画像のサイズなどを把握できるように下層側の画像に対応した形状のグラフ目盛りを表示することは、例えば、原審の拒絶査定で周知例として掲げられた特開昭６１−１３４７２１号公報、特開平５−２０４１７号公報、特開平５−１４７７９号公報にも記載されているように周知の事項であり、引用例に記載の発明における三角形状の図形（重畳表示部）を、上記周知のように「下層側の画像に対応した形状のグラフ目盛り」とし、下層側の画像に重畳して「前記グラフ目盛り」が表示されるように構成する程度のことは当業者が適宜になし得ることといえる。
　相違点２について
　引用例に記載の発明におけるディジタルビデオデータは、ＣＰＵからの描画コマンド信号を受け、描画プロセッサで描画されるものであり（引用例の上記（３）、（４）の記載参照）、その描画内容である静止画像は、複数種類の静止画像を描画可能であるといえ、また画像の重畳表示方法において、重畳される画像の透過領域の設定状態（例えば、位置、形状、重畳表示部の内容など）を異ならせた静止画像を複数種類備え、その静止画像を適宜選択して、表示される画像を変更可能とすることも周知の事項であることを勘案すると、引用例に記載の発明において、そのディジタルビデオデータ（静止画像）を、上記周知のように透過領域の設定状態を異ならせた静止画像を複数種類備えたものとし、その静止画像を適宜選択して、表示される画像を変更可能とする程度のこと、すなわち本願補正発明のように「前記静止画像が複数種類あり、表示される画像を変更可能とした」構成を採用する程度のことは当業者が適宜になし得ることといえる。
　そして、本願補正発明の構成に基づく効果についてみても予測し得る範囲内のものにすぎず、格別顕著なものがあるとはいえない。　　
　したがって、本願補正発明は、引用例に記載された発明に基づいて当業者が容易に発明をすることができたものであるから、特許法第２９条第２項の規定により特許出願の際独立して特許を受けることができない。
　６　［むすび］
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　　　
第３　【本願発明について】
　平成１３年１０月１日付の手続補正は上記のとおり却下されたので、本願の請求項１に係る発明（以下「本願発明」という。）は、平成１３年７月１０日付手続補正書の特許請求の範囲の請求項１に記載された事項により特定される、以下のとおりのものである。
「【請求項１】　上層側の静止画像中に、予め設定した色で区画された透過領域を設け、該設定色部分の表示を下層側の表示に変更することによって、前記透過領域を通して下層側の画像を表示可能とした画像の重畳表示方法であって、
　前記透過領域内に、前記設定色とは異なった色で且つ下層側の画像に対応した形状のグラフ目盛りが描画され、下層側の画像に重畳してグラフ目盛りが表示されることを特徴とする画像の重畳表示方法。」
　１　［引用例］
　原査定の拒絶の理由に引用された引用例、および、その記載事項は、前記「第２の２」に記載されたとおりである。
　２　［対比・判断］
　本願発明は、前記第２で検討した本願補正発明から「画像の重畳表示方法」の限定事項である「前記透過領域の設定状態を異ならせた前記静止画像が複数種類あり、表示される画像を変更可能とした」との構成を省いたものである。
　そうすると、本願発明の構成要件を全て含み、さらに他の構成要件を付加したものに相当する本願補正発明が、前記「第２の５」に記載したとおり、引用例の記載内容に基づいて、当業者が容易に発明をすることができたものであるから、本願発明も、同様の理由により、引用例の記載内容に基づいて、当業者が容易に発明をすることができたものである。
　３　［むすび］
　以上のとおり、本願発明は、引用例に記載された発明に基づいて、当業者が容易に発明をすることができたものであるから、特許法第２９条第２項の規定により特許を受けることができない。
　それ故、他の請求項２に係る発明について、検討するまでもなく、本願は拒絶すべきものである。
　よって、結論のとおり審決する。